(57)【要約】  一般的に、本発明の実施形態は、シリコン含有膜を堆積させる方法を提供する。一実施形態では、基板上にシリコン含有材料膜を堆積させる方法は、堆積チャンバ内に窒素と炭素を含有した化学物質を流すステップと、窒化シリコン化学結合を有するシリコン含有源化学物質を処理チャンバ内に流すステップと、チャンバ内に配置した基板を、摂氏５５０度未満の温度に加熱するステップを含む。別の実施形態では、シリコン含有化学物質はトリシリルアミンであり、窒素と炭素を含有した化学物質は（ＣＨ３）３−Ｎである。【選択図】  図２
2008547199.tif 000002
【特許請求の範囲】
【請求項１】
基板上にシリコン含有膜を堆積させる方法であって、
処理チャンバ内に配置した基板を摂氏約５５０度未満の温度に加熱するステップと、
前記処理チャンバ内に、窒素と炭素を含有した化学物質を流すステップと、
前記処理チャンバ内に、シリコン含有源化学物質と窒化シリコンの化学結合物を流すステップと、
前記基板上にシリコンと窒素を含有した膜を堆積させるステップと、
を備える方法。
【請求項２】
前記シリコン含有源化学物質が、（ＳｉＲ３）３−Ｎ、（ＳｉＲ３）２Ｎ−Ｎ（ＳｉＲ３）２、（ＳｉＲ３）Ｎ＝ＳｉＲ３）Ｎのうちの少なくとも１つであり、ここで、Ｒは水素（Ｈ）、またはメチル、エチル、第３ブチルフェニル、およびこれらの組み合わせからなる炭化水素試薬またはフラグメントである、請求項１に記載の方法。
【請求項３】
前記Ｒはハロゲンを含まず、水素を含有する、請求項２に記載の方法。
【請求項４】
前記Ｒが１つ以上のハロゲン要素を含む、請求項２に記載の方法。
【請求項５】
前記シリコン含有源化学物質が（ＳｉＨ３）３−Ｎである、請求項１に記載の方法。
【請求項６】
前記シリコン含有源化学物質が（ＳｉＨ３）２Ｎ−Ｎ（ＳｉＨ３）２である、請求項１に記載の方法。
【請求項７】
前記シリコン含有源化学物質が（ＳｉＨ３）Ｎ＝（ＳｉＨ３）Ｎである、請求項１に記載の方法。
【請求項８】
前記シリコン含有源化学物質がトリシリルアミンである、請求項１に記載の方法。
【請求項９】
前記窒素と炭素を含有した化学物質が化学式Ｒ（Ｃ）−ＣＸＮＹＲ（Ｎ）を有し、ここで、Ｒ（Ｃ）は水素またはこれ以外の炭化水素化合物基であり、Ｒ（Ｎ）は窒素またはこれ以外の窒素含有化合物基である、請求項１に記載の方法。
【請求項１０】
前記窒素と炭素を含有したガスがＨ３Ｃ−ＮＨ２である、請求項１に記載の方法。
【請求項１１】
前記窒素と炭素を含有した化学物質がメチルアミンである、請求項１に記載の方法。
【請求項１２】
前記窒素と炭素を含有した化学物質がＨ３Ｃ−ＮＨ−ＮＨ２である、請求項１に記載の方法。
【請求項１３】
前記窒素と炭素を含有した化学物質がメチルヒドラジンである、請求項１に記載の方法。
【請求項１４】
前記窒素と炭素を含有した化学物質が（Ｈ３Ｃ）−Ｎ＝Ｎ−Ｈである、請求項１に記載の方法。
【請求項１５】
前記窒素と炭素を含有した化学物質がＨＣ≡Ｎである、請求項１に記載の方法。
【請求項１６】
前記窒素と炭素を含有した化学物質が、摂氏５００度未満の温度で、室温における高い蒸気圧によって解離させることが可能な炭素、窒素、水素を含有した化合物である、請求項１に記載の方法。
【請求項１７】
前記窒素と炭素を含有した化学物質が、ＣＨ５Ｎ、ＣＨ６Ｎ２、ＣＨＮのうちの少なくとも１つである、請求項１に記載の方法。
【請求項１８】
前記基板を加熱するステップがさらに、
前記基板を、摂氏約３００〜５００度の温度に加熱する工程と、
前記処理チャンバ内部の圧力を約１０〜７４０トールに維持する工程と、
を備える、請求項１に記載の方法。
【請求項１９】
前記処理チャンバ内に酸素前駆物質を流すステップをさらに備える、請求項１に記載の方法。
【請求項２０】
前記酸素前駆物質が、原子酸素、酸素（Ｏ２）、オゾン（Ｏ３）、Ｈ２Ｏ、Ｈ２Ｏ２、有機過酸化物、アルコール、Ｎ２Ｏ、ＮＯ、ＮＯ２、Ｎ２Ｏ５、およびこれらの誘導体のうちの少なくとも１つである、請求項１９に記載の方法。
【請求項２１】
前記シリコン含有源化学物質が、（ＳｉＲ３）３−Ｎ、（ＳｉＲ３）２Ｎ−Ｎ（ＳｉＲ３）２、（ＳｉＲ３）Ｎ＝（ＳｉＲ３）Ｎのうちの少なくとも１つであり、ここでＲは水素（Ｈ）であるか、またはメチル、エチル、第３フェニルブチル、およびこれらの組み合わせからなる炭化水素試薬またはフラグメントであり；前記窒素と炭素を含有した化学物質が化学式Ｒ（Ｃ）−ＣＸＮＹＲ（Ｎ）を有し、この場合、Ｒ（Ｃ）が水素または別の炭化水素化合物基であり、Ｒ（Ｎ）が窒素または別の窒素含有化合物基である、請求項１に記載の方法。
【請求項２２】
前記基板を加熱するステップがさらに、
前記基板を摂氏約３００〜５００の温度に加熱する工程を備える、請求項２１に記載の方法。
【請求項２３】
前記シリコン含有膜を堆積させるステップがさらに、
シリコン含有材料の１つの原子層を堆積させる、請求項１に記載の方法。
【請求項２４】
基板上にシリコン含有層を堆積させる方法であって、
処理チャンバ内に配置した基板を、摂氏約５５０度未満の温度に加熱するステップと、
前記処理チャンバ内の圧力を約１０〜７４０トールに維持するステップと、
前記処理チャンバ内に（ＣＨ３）３−Ｎを流すステップと、
前記処理チャンバをアルゴンで浄化するステップと、
前記処理チャンバ内にトリシリルアミンを流すステップと、
前記処理チャンバをアルゴンで浄化するステップと、
シリコンと窒素を含有した層を前記基板上に堆積させるステップと、
を備える方法。
【請求項２５】
前記基板を加熱するステップがさらに、
前記基板を摂氏約４００〜５００度の温度に加熱する工程を備える、請求項２４に記載の方法。
【請求項２６】
前記基板を加熱するステップがさらに、
前記基板を摂氏約４５０度未満の温度に加熱する工程を備える、請求項２４に記載の方法。
【請求項２７】
前記処理チャンバ内に酸素前駆物質を流すステップをさらに備える、請求項２４に記載の方法。
【請求項２８】
前記酸素前駆物質が、原子酸素、酸素（Ｏ２）、オゾン（Ｏ３）、Ｈ２Ｏ、Ｈ２Ｏ２、有機過酸化物、アルコール、Ｎ２Ｏ、ＮＯ、ＮＯ２、Ｎ２Ｏ５、およびこれらの誘導体のうちの少なくとも１つである、請求項２７に記載の方法。
【請求項２９】
前記窒素と炭素を含有するガスは（ＣＨ３）３−Ｎである、請求項１に記載の方法。
【発明の詳細な説明】
【発明の背景】
【０００１】
発明の分野
[0001]本発明の実施形態は、一般的に、シリコン含有材料を堆積させる方法に関し、より具体的には、本発明の実施形態は窒化シリコンを熱的に堆積させる化学気相堆積技術に関する。
【０００２】
関連技術の説明
[0002]窒化シリコンのようなシリコン含有膜の熱化学気相堆積（ＣＶＤ）は、半導体デバイス製造中に使用される最新技術のフロントエンド処理である。例えば、窒化シリコンを堆積させる熱ＣＶＤ処理では、熱エネルギーを利用してシリコン前駆物質を含む１つ以上の供給原料化学物質を破壊して、基板表面上に炭化シリコンの薄膜を作成する。典型的に、従来のシリコン含有材料の熱ＣＶＤは、典型的には摂氏５５０度を超える上昇温度で動作するバッチ炉またはシングルウェーハ堆積チャンバ内で実行される。より高速の集積回路を得る為にデバイス形状が小型化されるに従い、満足のゆく処理結果、優れた製品生産性、頑丈なデバイス性能を得るためには、堆積させた膜のサーマルバジェットを減少させなければならない。摂氏約５５０度未満の堆積温度を有するシリコン含有材料のＣＶＤ処理が幾つか提案されているが、半導体デバイス製作での大規模な利用に適した生産価値を呈するものはない。
【０００３】
[0003]そのため、窒化シリコンのようなシリコン含有材料を摂氏約５５０未満の温度で堆積させる方法が必要である。
【発明の開示】
【０００４】
[0004]一般的に、本発明の実施形態はシリコン含有膜を堆積させる方法を提供する。一実施形態では、基板上にシリコン含有膜を堆積させる方法は、窒素と炭素を含有した化学物質を堆積チャンバ内に流すことと、窒化シリコン化学結合を有するシリコン含有源化学物質を処理チャンバ内に流すことと、チャンバ内に配置した基板を摂氏約５５０未満の温度に加熱することとを含む。別の実施形態では、シリコン含有化学物質はトリシリルアミンであり、窒素と炭素を含有した化学物質は（ＣＨ３）３−Ｎである。
【０００５】
[0005]上で参照した本発明の特徴を詳細に理解する方式のために、上で簡単に要約したより具体的な本発明の記述は、実施形態を参照することで得ることができる。これら実施形態の幾つかは添付の図面に図示されている。しかし、本発明は同等に有効な別の実施形態を許可できるものであるため、添付の図面は本発明の典型的な実施形態のみを図示したものであり、そのため本発明の範囲を限定するものとして考慮されるものではない点に留意されたい。
【０００６】
[0010]理解を促進するために、可能な場合には、複数の図面に共通する同一の要素を指定するために同一の参照符号を使用している。一実施形態の幾つかの要素は別の実施形態にも有利に組み入れられると考えられる。
【詳細な説明】
【０００７】
[0011]本発明の実施形態は、摂氏約５５０度の温度を利用して、窒化シリコンなどのシリコン含有膜を基板上に堆積させる方法を提供する。本発明は、図１に図示したシングルウェーハ熱化学気相堆積（処理）チャンバ１００を参照して説明されているが、本方法は、バッチ堆積システムを含む他の堆積システムにおいても有利に実施することができると考えられる。内部で窒化シリコン堆積処理が実行され得る１つの処理チャンバは、カリフォルニア州サンタクララにあるＡｐｐｌｉｅｄ  Ｍａｔｅｒｉａｌｓ，Ｉｎｃ．より入手可能なＳｉＮｇｅｎ（登録商標）Ｐｌｕｓチャンバであってもよい。本発明の実施に適合できる別システムの例には、とりわけ、Ｔｏｋｙｏ  Ｅｌｅｃｔｒｏｎ  Ｌｉｍｉｔｅｄから入手可能なＴＥＬＦＯＲＭＵＬＡバッチ炉；Ａｐｐｌｉｅｄ  Ｍａｔｅｒｉａｌｓ，Ｉｎｃ．から入手可能なＦＬＥＸＳＴＡＲ（登録商標）ミニバッチ式シリコン堆積システム；ネバダ州にあるＡＳＭ  ＩｎｔｅｒｎａｔｉｏｎａｌのＥＰＳＩＬＯＮ（登録商標）シングルウェーハエピタキシャルリアクタ（Ｓｉｎｇｌｅ−Ｗａｆｅｒ  Ｅｐｉｔａｘｉａｌ  Ｒｅａｃｔｏｒｓ）が含まれる。
【０００８】
[0012]窒化シリコン材料を堆積させる他の有用な処理には、熱ＣＶＤ以外にもパルスＣＶＤ、原子層堆積（ＡＬＤ）が含まれる。パルスＣＶＤ処理の最中に、シリコン前駆物質や反応物のような試薬が処理チャンバ内に共流され、律動的に送られる。また、ＡＬＤ処理の最中に、シリコン前駆物質や反応物のような試薬が処理チャンバ内に独立的および連続的に律動的に送られる。プラズマ拡張した堆積技術は、ＡＬＤ処理またはＣＶＤ処理の最中に使用することができる。本明細書で説明している堆積処理の最中に、１枚の基板または１バッチの基板にシリコン含有材料を堆積させることができる。
【０００９】
[0013]図１の実施形態において、処理チャンバ１００は、ポンプシステム１３８、制御装置１４６、ガスパネル１３６に結合したチャンバ本体１０２を含む。チャンバ本体１０２は、壁１０６、底部１０８、および内部容量１０４を画成する蓋１１０を有する。本体１０２の壁１０６は熱規制されていてもよい。一実施形態では、複数の導管１１２が壁１０６内に配置されており、チャンバ本体１０２の温度を規制する熱移送流体を循環させるように構成されている。壁１０６はさらに、基板１２２のようなワークピースの処理チャンバ１００に対する入出を促進するように構成された基板アクセスポート１２８を含む。
【００１０】
[0014]チャンバ本体１０２の内部容量１０４内には基板支持ペデスタル１２４が配置されており、処理中に基板１２２を支持する。基板支持ペデスタル１２４は、基板１２２の温度を規制し、および／または処理チャンバ１００の内部容量１０４を加熱するように構成された加熱器１２０を含む。図１に描かれているこの実施形態では、加熱器１２０は、電源１１６に結合し、基板を少なくとも摂氏５５０度の温度にまで加熱できる抵抗性の加熱要素である。
【００１１】
[0015]基板支持ペデスタル１２４にはペデスタルリフトアセンブリ１３０が結合しており、このペデスタルリフトアセンブリ１３０は、上昇処理位置（図１に示す）と、基板アクセスポート１２８によってペデスタル１２４上に配置された基板１２２への接近を促進する降下位置との間でペデスタル１２４の上昇を制御するように構成されている。ペデスタルリフトアセンブリ１３０は、可撓性の蛇腹１３２によってチャンバ本体１０２の底部１０８に密封結合している。場合により、ペデスタルリフトアセンブリ１３０を、処理中にペデスタル１２４を回転させるように構成することもできる。
【００１２】
[0016]ガスパネル１３６は処理チャンバ１００に結合されており、液体および／またはガス形式の処理化学物質、さらにその他のガスを、チャンバ本体の内部容量１２４に提供するように構成されている。図１に描かれた実施形態では、ガスパネル１３６は、選択された液体化学物質源から生成された液体噴射器からの処理化学物質、あるいは混合処理ガスまたは蒸気を移送するために使用されるガスライン１４０によって、チャンバ本体１０２の蓋１１０に形成された流入ポート１３４に結合されている。流入ポート１３４は、チャンバ本体１０２のこれ以外の1または複数の場所を通って形成されていてもよいことが考えられる。
【００１３】
[0017]チャンバ本体１０２にシャワーヘッド１４４が結合しているため、ガスパネルまたは液体噴射器１３６により提供されるガスまたは蒸気の、処理チャンバ１００の内部容量１０４内への均一な流れ分布が拡張される。シャワーヘッド１４４は多孔領域１５４を含む。この多孔性領域１５４に形成された孔のサイズ、外形、個数、分布は、シャワーヘッド１４４を通って基板１２２へ到達するガスの、事前定義された分布を提供するように構成されている。
【００１４】
[0018]基板支持ペデスタル１２４の上方面から基板１２２を分離させることで、アクセスポート１２８を通ってチャンバ本体内に入るロボット（図示せず）との間での基板のハンドオフを促進するために、複数のリフトピン１１４（このうち１つを図１に示す）が設けられている。図１で描いた実施形態では、基板支持ペデスタル１２４の下にリフト板１１８が配置されており、ペデスタル１２４が降下されると、ペデスタル１２４が下方移動を完了する前に、リフトピン１１４がリフト板１１８と接触するように配列されている。ペデスタル１２４がリフトピン１１４をペデスタルの上方面から延ばしながら降下し続ける際に、リフト板１１８がリフトピン１１４を支持する。リフト板１１８の位置および／またはリフトピン１１４の長さは、ペデスタル１２４が降下位置にある時に、基板１２２が基板支持ペデスタル１２４から離間するようになり、アクセスポート１２８とほぼ整列できるように構成されている。
【００１５】
[0019]ポンプシステム１３８は、チャンバ本体１０２内に形成されたポンプポート１２６に結合されている。一般的に、ポンプシステム１３８は、処理チャンバ１００の内部容量１０４内の圧力を制御するように配列されたスロットル弁と１つ以上のポンプとを含む。内部容量１０４からポンプポート１２６へ流れるガスがポンプリング１４２を通過して送られることで、基板１２２の表面にかけてガス流の均一性が拡張される。本発明から恩典を得るように適合できる１つのポンプリングが、２００４年１０月４日に提出された米国特許第１０／９１１，２０８に説明されている。この特許の全体は参照によって本明細書に組み入れられる。
【００１６】
[0020]以下で説明する窒化シリコン堆積処理の制御を促進するために、制御装置１４６は処理チャンバ１００の様々な構成部品に結合されている。一般的に、制御装置１４６は中央処理ユニット（ＣＰＵ）１５０、メモリ１４８、支援回路１５２を含む。ＣＰＵ１５０は、様々なチャンバおよびサブプロセッサを制御するための工業設定に使用できる、あらゆるコンピュータプロセッサ形式のうち１つであってもよい。メモリ１４８またはコンピュータ読み出し可能な媒体は１つ以上の容易に入手可能なメモリ、例えばランダム・アクセス・メモリ（ＲＡＭ）、読み出し専用メモリ（ＲＯＭ）、フロッピーディスク、ハードドライブ、フラッシュメモリ、あるいは他の任意形式のローカルまたは遠隔のデジタル記憶装置であってもよい。支援回路１５２は、プロセッサを従来の方法でサポートするＣＰＵ１５０に結合している。これらの支援回路１５２は、キャッシュ、電源、クロック回路、入力／出力回路要素、サブシステムなどを含む。一般的に、以下で説明するシリコン含有材料堆積処理２００のような処理は、典型的にソフトウェアルーチンとしてメモリ１４８に格納される。このソフトウェアルーチンは、ＣＰＵ１５０によって制御されるハードウェアから離れた場所に配置された第２ＣＰＵ（図示せず）に格納され、および／または、これによって実行されることもできる。本発明の堆積処理は、ソフトウェアルーチンとして実現されるものとして説明されているが、開示される幾つかの方法ステップは、ハードウェアにおいて、ならびにソフトウェア制御装置によって実行することができる。そのため、本発明をシステムコンピュータ上で実現する場合にはソフトウェアとして、ハードウェア内ではアプリケーション特化型の集積回路または別タイプのハードウェア実現として、あるいはソフトウェアとハードウェアの組み合わせとして実現することができる。
【００１７】
[0021]図２は、処理チャンバ１００内、あるいは他の適切な設備内で実現できるシリコン含有材料堆積処理２００の一実施形態のフロー図である。方法２００は、基板支持ペデスタル１２４上に基板１２２を置くステップ２０２から開始する。上部において本発明の窒化シリコン堆積処理の実施形態が実施される基板１２２には、結晶シリコン（例えば、Ｓｉ＜１００＞またはＳｉ＜１１１＞）、酸化シリコン、ストレインド・シリコン、ＳＯＩ、シリコンゲルマニウム、ドープまたは無ドープ・ポリシリコンのような半導体ウェーハが含まれるが、これに限定されるものではない。上にシリコン含有層を堆積させる基板表面はベアシリコン、誘電性材料、伝導性材料、バリア材料などであってもよい。場合により、シリコン含有材料を堆積させる前の基板１２２に、研磨、エッチング、還元、酸化、ハロゲン化、水酸化、アニーリング、および／またはベーキングによって事前処置を施しておくことができる。
【００１８】
[0022]ステップ２０４で、基板１２２は摂氏約５５０度未満の温度に加熱される。場合により、製作に伴う要求に応じて、基板１２２を摂氏５５０よりも高い温度に加熱してもよい。一実施形態では、基板１２２は、抵抗性加熱要素（即ち、加熱器１２０）に電源１１６からの電力を付加して、基板１２２を摂氏約３００〜５００度の温度にまで加熱することによって加熱され、さらに別の実施形態では、基板１２２は摂氏約４５０度未満の温度に加熱される。
【００１９】
[0023]ステップ２０６で、窒素と炭素を含有した化学物質が処理チャンバ１００の内部容量に提供される。一般的に、この窒素と炭素を含有した化学物質は、ガスパネル１３６から流入口１０４へ提供される。窒素と炭素を含有した化学物質は液体および／またはガスの形式であってもよい。
【００２０】
[0024]一実施形態では、窒素と炭素を含有した化学物質は一般的な化学式、Ｒ（Ｃ）−ＣＸＮＹＲ（Ｎ）を有し、ここで、Ｒ（Ｃ）は水素または他の炭化水素化合物基であり、Ｒ（Ｎ）は窒素または他の窒素含有化合物基であり、ｘおよびｙは正の整数である。適切な窒素と炭素を含有したガスの例には、とりわけ、（ＣＨ３）３−Ｎ、Ｈ３Ｃ−ＮＨ２、メチルアミン、Ｈ３Ｃ−ＮＨ−ＮＨ２、メチルヒドラジン、（Ｈ３Ｃ）−Ｎ＝Ｎ−Ｈ、ＨＣ≡Ｎが含まれるが、これらに限定されるものではない。
【００２１】
[0025]窒素と炭素を含有した化学物質は、室温における高い蒸気圧により摂氏５００度未満で解離させることが可能な、炭素、窒素、水素を含有した化合物として代替的に特徴付けることができる。適切な窒素と炭素を含有した化学物質の他の例には、とりわけ、ＣＨ５Ｎ（摂氏２５度で約３５３ｋＰａの蒸気圧）、メチルヒドライン（ＣＨ６Ｎ２、摂氏２５度で約６６ｋＰａの蒸気圧）、青酸（ＣＨＮ；摂氏２５度で約９８．８ｋＰａの蒸気圧）が含まれるが、しかしこれらに限定されるものではない。
【００２２】
[0026]ステップ２０８では、ガスパネル１３６からのシャワーヘッド１４４を介して、少なくとも１つのＳｉ−Ｎ結合を有するＳｉ源の化学物質の流れがチャンバ本体１０２の内部容量１０４に提供される。Ｓｉ源の化学物質は液体および／またはガス形式であってもよい。一実施形態では、Ｓｉ源の化学物質は、（ＳｉＲ３）３−Ｎ、（ＳｉＲ３）２Ｎ−Ｎ（ＳｉＲ３）２、（ＳｉＲ３）Ｎ＝（ＳｉＲ３）Ｎのうち少なくとも１つを含み、この場合、Ｒは水素（Ｈ）であるか、またはメチル、エチル、フェニル、第３級炭素、ブチル、およびこれらの組み合わせからなる炭化水素試薬またはフラグメントである。別の実施形態では、Ｒは１つ以上のハロゲン要素を含み、また水素を含有する。適切なＳｉ源ガスの例には、とりわけ、（ＳｉＨ３）３−Ｎ、（ＳｉＨ３）２Ｎ−Ｎ（ＳｉＨ３）２、（ＳｉＨ３）Ｎ＝（ＳｉＨ３）Ｎ、トリシリルアミンが含まれる。
【００２３】
[0027]ガスパネル１３６と流入ポート１３４の間には１本のガスライン１４０が配置され示されているが、Ｓｉ源化学物質と、窒素と炭素を含有した化学物質とは、別々のガスラインによって処理チャンバ１００に提供されると考えられる。さらに、ガスラインは温度制御されたものであるとも考えられる。またさらに、ステップ２０６での炭素を含有した化学物質と、ステップ２０８での窒素および／またはＳｉを含有した化学物質とを流入ポート１３４に同時に、あるいは連続して導入することができることも考えられる。このため、ステップ２０６は、ステップ２０８の前後のいずれに実行してもよい。さらに、原子層が確実に被覆され、各ステップの間を例えばアルゴンのような望ましい不活性ガスで浄化できるようにするために、ステップ２０６、２０８を、化学物質ドーピング時間を選択的に制御する形で実行することが可能である。
【００２４】
[0028]基板処理チャンバ１００内でＳｉ源化学物質と、窒素と炭素を含有した化学物質とを組み合わせる際に、加熱した基板１２２上に、窒化シリコン（Ｓｉ３Ｎ４）膜のようなシリコン含有材料が形成される。堆積されたシリコン含有材料は、反射率、湿式エッチング速度、さらに５A／分よりも早い堆積速度といった優れた膜品質を呈する。一実施形態では、シリコン含有膜を約１０〜５００A／分で、厚さ約１０〜１、０００Aにまで堆積させている。上述のとおりに形成されたシリコン含有膜は水素容量が低く、少量の炭素ドーピングを含むため、これによってＰＭＯＳデバイス内におけるホウ素保持力が拡張される。ハロゲンを含まないＳｉ源化学物質を利用する実施形態では、向上した湿式エッチング速度の実現が可能である。
【００２５】
[0029]窒素と炭素を含有した化学物質および／またはＳｉ源化学物質の部分圧力を数ミリトールから数百トールに制御するために、さらに、シングルウェーハチャンバ内で総処理圧力を約１００ミリトールから７４０トールに制御するために、ステップ２０６および／またはステップ２０８でキャリアガスを提供することができる。別の実施形態では、処理チャンバ内の圧力は約１０〜７４０トールに維持される。キャリアガスは、窒素と炭素を含有した化学物質、および／またはＳｉ源化学物質の部分圧力を、バッチ処理システム内で約１００ミリトールから１トールへ制御するために提供されてもよい。適切なキャリアガスの例には、とりわけＮ２、Ａｒ、Ｈｅが含まれる。
【００２６】
[0030]別の実施形態では、方法２００には、ステップ２０２で、基板１２２を摂氏約３００〜５００度の間の温度、例えば摂氏４５０度に加熱することが含まれる。ステップ２０６で、窒素と炭素の化学物質、例えば（ＣＨ３）３−Ｎが処理チャンバ１００に提供される。窒素と炭素の化学物質は約１００〜３０００ｓｃｃｍの間の速度、例えば約１０００〜２０００ｓｃｃｍの速度で送出される。ステップ２０８で、Ｓｉ源の化学物質、例えばトリシリルアミンが約１〜３００ｓｃｃｍの速度で、別の例では約１３〜１３０ｓｃｃｍの速度で処理チャンバ１００に提供され、キャリアガスをＳｉ源化学物質と組み合わせる実施形態では、液体源の合計速度は約１０〜１０、０００ｓｃｃｍである。一般的に、トリシリルアミンに対する（ＣＨ３）３−Ｎの流量比は、約１０：１〜１：１の比に維持される。一実施形態では、トリシリルアミンに対する（ＣＨ３）３−Ｎの流量比は３：１である。
【００２７】
[0031]場合により、酸化シリコンまたはシリコンオキシナイトライドを形成するために、典型的にはステップ２０６および／またはステップ２０８で、堆積方法２００に酸素前駆物質を追加することができる。本明細書で説明している堆積処理に使用可能な酸素前駆物質には、原子酸素、酸素（Ｏ２）、オゾン（Ｏ３）、Ｈ２Ｏ、Ｈ２Ｏ２、有機過酸化物、アルコール、Ｎ２Ｏ、ＮＯ、ＮＯ２、Ｎ２Ｏ５、これらの誘導体およびこれらの組み合わせが含まれる。
【００２８】
[0032]方法２００を、上述したとおりにシングルウェーハ処理チャンバ１００内で実施することで、堆積させた膜の調整、具体的には膜のＳｉ／Ｎ／Ｃ／Ｈ容量を管理および制御する能力が可能になる。膜の相対的なＳｉ、Ｎ、Ｃ、Ｈ容量を制御することで、湿式エッチング速度、乾式エッチング速度、誘電率などといった膜の性質を、特定の用途にあつらえられるようになる。例えば、水素容量を低減することで、より高い引張応力で膜を堆積させられるようになる。
【００２９】
[0033]さらに、Ｎ−Ｓｉ−ＲまたはＮ−Ｓｉ−Ｓｉ−Ｒタイプの前駆物質を使用することでＳｉ源分子の解離が低温度にて生じ、これにより低温処理が可能になる。これは、官能基（Ｓｉ−ＲまたはＳｉ−Ｓｉ）の結合がＳｉ−Ｎ結合よりも弱いためである。さらに、本発明で使用している、Ｓｉ源内のＮ−Ｓｉ−ＲまたはＮ−Ｓｉ−Ｓｉ−ＲからのＲもしくはＳｉ−Ｒと反応する、炭素と水素官能基を含有する窒素含有源化学物質によって、Ｒ基が解離するため、窒素源化学物質と反応させない場合よりも簡単に除去できるようになる。そのため、この処理において、窒素源化学物質はさらなる窒素および炭素源を最終膜に提供することに加え、触媒としての機能も果たす。そのため、窒素源は、例えば摂氏約５５０未満といった低温での処理を有利に促進する。
【００３０】
[0034]上述の方法２００を利用して堆積させたシリコン含有材料は、これの幾つかの物理性質のために、電子特徴／デバイス全体にかけて使用される。例えば窒化シリコンのようなシリコンと窒素を含有した材料には、電気絶縁体ならびにバリア材料がある。バリア性質により、例えばゲート材料と電極の間、または低誘電率の多孔性材料と銅の間といった、異類の材料または要素の間にシリコンと窒化物を含有した材料を置いた場合に、これらの間でのイオン拡散が禁じられる。このため、シリコンと窒化物を含有した材料をバリア層、保護層、オフセット層、スペーサ層、キャッピング層内に使用できる。窒化シリコン材料の別の物理性質は高い硬度である。幾つかの用途では、シリコン含有材料を、様々な光学デバイスならびにツール用の保護コーティングとして使用することができる。窒化シリコンのようなシリコンと窒化物を含有した材料の別の物理性質は酸化シリコンに対するエッチングの選択性である。即ち、窒化シリコンは、過剰エッチングや過少エッチングすることなくエッチング深度を正確に制御するためのエッチング停止層として、酸化シリコン誘電層の下に使用することができる。シリコンと窒素を含有した材料のさらに別の物理性質は、選択した用途に望ましい高い引張応力といった膜応力を調節するために、濃縮した炭素と水素を使用できることである。
【００３１】
[0035]幾つかの実施形態では、図３Ａ〜図３Ｂ、図４で描かれているように、ＭＯＳＦＥＴおよび双極トランジスタ内で窒化シリコン材料を様々な層として堆積させることができる。例えば、図３Ａは、リセスおよびエレベートソース／ドレインを含有するＭＯＳＦＥＴ内で堆積させた窒化シリコン材料を示している。ソース／ドレイン層３１２は、基板３１０のイオン注入によって形成される。一般的に基板３１０はドープしたｎ型材料であり、ソース／ドレイン層３１２はドープしたｐ型材料である。通常、Ｓｉ、ＳｉＧｅ、ＳｉＧｅＣであるシリコン含有層３１３は、ＣＶＤ方法により、ソース／ドレイン層３１２上に、または直接基板３１０上に、選択的およびエピタキシャル的に堆積させられる。シリコン含有層３１４はまたシリコン含有層３１３上にも、ＣＶＤ方法によって、選択的およびエピタキシャル的に堆積させる。ゲートバリア層３１８は、区画化されたシリコン含有層３１３をつなぐ。一般的に、ゲートバリア層３１８は酸化シリコン、シリコンオキシナイトライド、酸化ハフニウム、ハフニウムシリケートからなっていてもよい。通常は窒化物／酸化物／窒化物の積層（例えば、Ｓｉ３Ｎ４／ＳｉＯ２／Ｓｉ３Ｎ４）のような隔離材料であるスペーサ３１６が、ゲートバリア層３１８を部分的に包囲している。あるいは、スペーサ３１６は窒化シリコン材料の同種の層、例えばここ説明している様々な方法で堆積させた窒化シリコンやシリコンオキシナイトライドであってもよい。ゲート層３２２（例えば、ポリシリコン）はスペーサ３１６と、いずれかの側に堆積させたオフセット層とを有していてもよい。オフセット層３２０は、本明細書で説明している様々な処理で堆積させた窒化シリコンのような窒化シリコン材料からなっていてもよい。
【００３２】
[0036]図３Ｂは、ソース／ドレイン用のエッチング停止層３２４と、ＭＯＳＦＥＴ上にかけて堆積させたエッチングを介したゲート接触とを示す。エッチング停止層３２４は、本明細書で説明している様々な方法で堆積させた窒化シリコンのような窒化シリコン材料からなっていてもよい。エッチング停止層３２４上にプレ金属誘電層３２６（例えば、酸化シリコン）が堆積されており、このプレ金属誘電層３２６はその上に接触穴ビア３２８を含有する。
【００３３】
[0037]別の実施形態において、図４は、本発明の様々な実施形態を使用して、双極トランジスタ内の幾つかの層として窒化シリコン材料を描いている。基板４３０上に事前に堆積させたｎ型の収集層４３２上に、シリコン含有化合物層４３４が堆積させている。トランジスタはさらに、隔離層４３３（例えば、ＳｉＯ２、ＳｉＯｘＮｙ、Ｓｉ３Ｎ４）、接触層４３６（例えば、重ドープしたポリＳｉ）、オフセット層４３８（例えば、Ｓｉ３Ｎ４）、第２隔離層４４０（例えば、ＳｉＯ２、ＳｉＯｘＮｙ、Ｓｉ３Ｎ４）を含む。隔離層４３３、４４０とオフセット層４３８は、例えばシリコンオキシナイトライド、炭窒化シリコン、および／または、本明細書で説明している様々な処理によって堆積させた窒化シリコンのような窒化シリコン材料として、独立的に堆積させることができる。一実施形態では、隔離層４３３、４４０はシリコンオキシナイトライドであり、オフセット層３８８は窒化シリコンである。
【００３４】
[0038]このようにして、窒化シリコンのようなシリコン含有層を堆積させる方法を提供した。上述した方法は、摂氏約５５０度未満の堆積温度を使用するために低いサーマルバジェットを必要とする微小寸法を有するデバイス製作に適切であり、これにより、サブ９０ｎｍ技術を使用した頑丈な回路製作が有利に促進される。
【００３５】
[0039]前出の説明は本発明の実施形態に関するものであるが、本発明の基本範囲から逸脱しない限り、本発明のその他およびさらなる実施形態の考案が可能であり、その範囲は、続く特許請求の範囲によって決定される。
【図面の簡単な説明】
【００３６】
【図１】本発明の窒化シリコンを堆積させる方法を内部にて実行できる堆積チャンバの一実施形態の簡略化した断面図である。
【図２】窒化シリコン膜を堆積させる方法の一実施形態のフロー図である。
【図３Ａ】図２の方法に従って少なくとも部分的に堆積させた窒化シリコン層を有するＭＯＳＦＥＴトランジスタの断面図である。
【図３Ｂ】図２の方法に従って少なくとも部分的に堆積させた窒化シリコン層を有するＭＯＳＦＥＴトランジスタの断面図である。
【図４】図２の方法を利用して、少なくとも部分的に堆積させた窒化シリコン層を有する例証的な双極トランジスタの断面図である。
【符号の説明】
【００３７】
１００…処理チャンバ、１０２…チャンバ本体、１０４…内部容量、１０６…壁、１０８…底部、１１０…蓋、１１２…導管、１１４…リフトピン、１１８…リフト板、１２０…加熱器、１２２…基板、１２４…基板支持ペデスタル、１２６…ポンプポート、１２８…基板アクセスポート、１３０…ペデスタルリフトアセンブリ、１３２…蛇腹、１３４…流入ポート、１３６…ガスパネル、１３８…ポンプシステム、１４４…シャワーヘッド、１４６…制御装置、１４８…メモリ、１５０…中央処理ユニット（ＣＰＵ）、１５２…支援回路、１５４…多孔性領域、２００…シリコン含有材料堆積処理。
【図１】
2008547199.tif 000003
【図２】
2008547199.tif 000004
【図３Ａ】
2008547199.tif 000005
【図３Ｂ】
2008547199.tif 000006
【図４】
2008547199.tif 000007
【国際調査報告】
2008547199.tif 000008